(57)【要約】【課題】優良なコンテンツが継続的に提供されるよう優れたコンテンツを提供した者に付与するインセンティブを適正化する。【解決手段】コンテンツの視聴者から、視聴したコンテンツに対し、金銭的価値を有する評価ポイントの入力を受け付け、所定の集計間隔で、コンテンツ毎に前記評価ポイントからスコアを計算し、順位付けを行なう。予め定める順位以上のコンテンツの作者に、獲得した評価ポイントに応じた利益を分配し、残りの評価ポイントに応じた利益をサービス運営者に分配する。【選択図】図４
2010152489.tif 000002
【特許請求の範囲】
【請求項１】
コンテンツの視聴者から、視聴したコンテンツに対し、金銭的価値を有する評価ポイントの入力を受け付けるポイント入力受付部と、
所定の集計間隔で、コンテンツ毎に前記評価ポイントからスコアを計算し、順位付けを行う順位付け部と、
予め定める順位以上のコンテンツの作者に、前記評価ポイントに応じた利益を分配する利益分配処理部と、
を備えるコンテンツ評価システム。
【請求項２】
前記予め定める順位以上のコンテンツに対し評価ポイントを入力した視聴者に対し、前記予め定める順位未満のコンテンツに対し入力された評価ポイントの少なくとも一部を分配する請求項１のコンテンツ評価システム。
【請求項３】
前記視聴者に対し分配される評価ポイントは、各視聴者が入力した評価ポイントと、各視聴者が評価ポイントを入力した時期により決定され、
入力した評価ポイントが多く、評価ポイントを入力した時期が早いほど、多くの評価ポイントが分配される請求項２のコンテンツ評価システム。
【請求項４】
前記評価ポイントは、有料コンテンツの視聴をするポイントとして行使可能であり、
視聴者またはコンテンツの作者は、前記評価ポイントの入力が可能なコンテンツを視聴して、評価ポイントを行使するか、有料コンテンツを視聴するかを選択可能である請求項１ないし３いずれか一のコンテンツ評価システム。
【請求項５】
前記順位付け部は、前記評価ポイントに加えて、総視聴者数又は各コンテンツに寄せられたコメント数を用いてスコアを計算する請求項１ないし４いずれか一のコンテンツ評価システム。
【請求項６】
更に、前記スコアによる順位（ランキング）を公開するランキング公開部を備える請求項１ないし５いずれか一のコンテンツ評価システム。
【請求項７】
コンテンツの視聴者から、視聴したコンテンツに対し、金銭的価値を有する評価ポイントの入力を受け付け、
所定の集計間隔で、コンテンツ毎に前記評価ポイントからスコアを計算し、順位付けを行ない、
予め定める順位以上のコンテンツの作者に、獲得した評価ポイントに応じた利益を分配し、残りの評価ポイントに応じた利益をサービス運営者に分配する視聴者評価による利益分配方法。
【請求項８】
コンテンツの視聴者から、視聴したコンテンツに対し、金銭的価値を有する評価ポイントの入力を受け付ける処理と、
所定の集計間隔で、コンテンツ毎に前記評価ポイントからスコアを計算し、順位付けを行なう処理と、
予め定める順位以上のコンテンツの作者に、獲得した評価ポイントに応じた利益を分配し、残りの評価ポイントに応じた利益をサービス運営者に分配する処理と、コンピュータに実行させるプログラム。
【発明の詳細な説明】
【技術分野】
【０００１】
本発明は、コンテンツ評価システム、視聴者評価による利益分配方法及びプログラムに関し、特に、視聴者からの評価に応じてコンテンツの作者に対し、インセンティブを与えるコンテンツ評価システム、視聴者評価による利益分配方法及びプログラムに関する。
【背景技術】
【０００２】
特許文献１に閲覧者評価型コンテンツ公開方法が開示されている。同文献によれば、コンテンツ提供者からのコンテンツの登録依頼を受付けてそのコンテンツをコンテンツ評価サイトに登録するステップと、前記登録されたコンテンツに対する閲覧者からの評価情報を受け付け、その評価情報の内容に応じてコンテンツの公開順位を設定するステップと、前記登録されたコンテンツの公開順位に応じて各コンテンツ提供者に対する報酬の額を計算するステップと、を有することが記載されている。
【０００３】
【特許文献１】特開２００２−３６６８４４号公報
【発明の開示】
【発明が解決しようとする課題】
【０００４】
特許文献１の方法では、閲覧者からの評価の高かったコンテンツの提供者に、公開順位に応じた報酬を分配することができるが、同文献でいうところの評価サイト運営者（サービス運営者）とコンテンツ提供者間の利益分配については、記載されていない。例えば、広告主からの広告料やサービス加入者からの会費等によりサイト運営を行っている場合、広告料や会費収入の何割かを一律に評価サイト運営者が受け取り、その残りを報酬として公開順位に応じて分配することが考えられる。
【０００５】
しかしながら、上記方法では、極めて優良なコンテンツを提供し、評価サイトへのアクセス向上に貢献した者からも上記評価サイトの取り分に応じて報酬を減額してしまうことになってしまう。また、評価サイトへのアクセス向上に全く貢献していない者にも、報酬を支払うことになる。上記状況を放置すれば、優良なコンテンツが減り、結果として、アクセス数等に応じて支払われる広告料収入や会費が減ってしまうことも考えられる。
【０００６】
本発明は、上記した事情に鑑みてなされたものであって、その目的とするところは、優れたコンテンツを提供した者に付与するインセンティブを適正化することにより、優良なコンテンツが継続的に提供されるようにすることのできるコンテンツ評価システム、視聴者評価による利益分配方法及びプログラムを提供することにある。
【課題を解決するための手段】
【０００７】
本発明の第１の視点によれば、コンテンツの視聴者から、視聴したコンテンツに対し、金銭的価値を有する評価ポイントの入力を受け付けるポイント入力受付部と、
所定の集計間隔で、コンテンツ毎に前記評価ポイントからスコアを計算し、順位付けを行う順位付け部と、予め定める順位以上のコンテンツの作者に、前記評価ポイントに応じた利益を分配する利益分配処理部と、を備えるコンテンツ評価システムが提供される。
【０００８】
本発明の第２の視点によれば、コンテンツの視聴者から、視聴したコンテンツに対し、金銭的価値を有する評価ポイントの入力を受け付け、所定の集計間隔で、コンテンツ毎に前記評価ポイントからスコアを計算し、順位付けを行ない、予め定める順位以上のコンテンツの作者に、獲得した評価ポイントに応じた利益を分配し、残りの評価ポイントに応じた利益をサービス運営者に分配する視聴者評価による利益分配方法が提供される。
【０００９】
本発明の第３の視点によれば、コンテンツの視聴者から、視聴したコンテンツに対し、金銭的価値を有する評価ポイントの入力を受け付ける処理と、所定の集計間隔で、コンテンツ毎に前記評価ポイントからスコアを計算し、順位付けを行なう処理と、予め定める順位以上のコンテンツの作者に、獲得した評価ポイントに応じた利益を分配し、残りの評価ポイントに応じた利益をサービス運営者に分配する処理と、コンピュータに実行させるプログラムが提供される。
【発明の効果】
【００１０】
本発明によれば、優良なコンテンツを確保し、アクセス数等に応じて支払われる広告料収入や会費を増大させることが可能となる。その理由は、予め定める順位以上のコンテンツの作者に獲得した評価ポイントに応じた利益を分配し、残りの評価ポイントに応じた利益がサービス運営者の取り分とすることのできる仕組みを採用したことにある。
【発明を実施するための最良の形態】
【００１１】
［発明の概要］
始めに、発明の概要について説明する。本発明は、所定の集計間隔で、各コンテンツに付与された評価ポイントからスコアを計算して、順位付けを行ない（図４参照）、予め定める順位以上のコンテンツの作者に、獲得した評価ポイントに応じた利益を分配するものである（図４の「上位ランク」参照）。
【００１２】
例えば、評価ポイントが１ポイントで千円の価値を有する場合、予め定める順位以上のコンテンツの作者は、獲得ポイント数×千円の利益が分配されることになる。そして、サービス運営者は、運営コストとして、予め定める順位より下のコンテンツが獲得したポイントを徴収する（図４の「ポイント没収」参照）。
【００１３】
［第１の実施形態］
続いて、本発明の第１の実施形態について図面を参照して詳細に説明する。図１は、本発明の第１の実施形態に係るコンテンツ評価システムの構成を表したブロック図である。
【００１４】
図１を参照すると、ネットワークを介して、視聴者が操作する視聴者端末１０と、コンテンツ作者が操作するコンテンツ作者端末２０と、からそれぞれアクセス可能な動画サービスサイト（コンテンツ評価システム）３０が示されている。
【００１５】
以下、動画サービスサイト（コンテンツ評価システム）３０の運用者を「サービス運用者」と定義する。また、サービス運用者と、視聴者と、コンテンツ作者との３者間で、やり取りするポイントを「評価ポイント」と定義する。視聴者は、サービス運用者から評価ポイントを購入して行使可能な評価ポイントを増やすことができる。評価ポイントは、有料コンテンツの視聴をするポイントとしても行使可能であり、視聴者は、無料コンテンツを視聴して評価ポイントを行使するか、評価ポイントを行使して有料コンテンツの視聴をするかを選択可能であるものとする。コンテンツ作者には、これら視聴者が行使した評価ポイントの販売金額に見合う金銭等が、サービス運用者から支払われるものとする。その詳細な仕組みは、後に詳述する。
【００１６】
図２は、上記動画サービスサイト（コンテンツ評価システム）３０の詳細構成を表したブロック図である。図２を参照すると、動画サービスサイト（コンテンツ評価システム）３０は、コンテンツ管理部３１と、ポイント入力受付部３２と、ランキング公開部３３と、コンテンツ記憶部３４と、評価ポイント記憶部３５と、利益分配処理部３６とを備えている。
【００１７】
前記動画サービスサイト（コンテンツ評価システム）３０の各部は、動画サービスサイト（コンテンツ評価システム）３０を構成するコンピュータに実行させるプログラムによって実現可能であり、それぞれ概略次のように動作する。
【００１８】
コンテンツ管理部３１は、視聴者端末１０からの要求に応じてコンテンツ記憶部３４に記憶されたコンテンツを配信する。また、コンテンツ管理部３１は、コンテンツ作者端末２０からの要求に応じてコンテンツ記憶部３４にコンテンツを登録する。
【００１９】
ポイント入力受付部３２は、前記コンテンツを配信した視聴者端末１０からコンテンツに対する評価ポイントの入力を受け付けて、評価ポイント記憶部３５に送信する。視聴者端末１０からコンテンツに対する評価ポイントを受け付ける形態は、明示的に各コンテンツに対する個人的な面白さや感動の度合いに応じた評価値、評価度数を入力する形態を採ることができる。
【００２０】
ランキング公開部３３は、評価ポイント記憶部３５に記憶された評価ポイントに基づいて、コンテンツの順位付けを行うとともに、順位付けした結果（ランキング）を公開する。このランキングの公開により、後記する利益の分配の透明性が担保される。
【００２１】
コンテンツ記憶部３４には、無料コンテンツ、有料コンテンツが記憶される。無料コンテンツは、視聴者が自由に視聴できるコンテンツである。ここでは、評価ポイントの入力対象となるのは無料コンテンツであるものとする。
【００２２】
評価ポイント記憶部３５は、例えば図３に示すように、コンテンツ記憶部３４に記憶された各コンテンツに対する評価ポイントを記憶する。
【００２３】
利益分配処理部３６は、評価ポイント記憶部３５に記憶された評価ポイントに基づいて、コンテンツの順位付けを行なう順位付け部として機能するとともに、その結果（ランキング）が所定の順位以上のコンテンツの作者に対して、獲得した評価ポイントに応じた利益を分配する処理を行う。この利益の分配処理は、例えば、各コンテンツの作者の口座に金銭を送金したり、あるいは、各コンテンツの作者に対し、金銭と同等に行使可能なポイントを付与することによって実行することができる。
【００２４】
前記コンテンツの順位付けは、評価ポイント以外の要素を用いて補正することもできる。例えば、重み付け関数ｆ（総視聴数，総コメント数，総獲得評価ポイント数）＝ａ×総視聴数＋ｂ×総コメント数＋ｃ×総獲得評価ポイント数（但し、ａ，ｂ，ｃは適当な定数とする）で求めたスコアにて、順々にランク付けを行うこととしてもよい。
【００２５】
続いて、本実施形態の動作について具体例を示して説明する。まず、サービス運用者はある適当な期間（ランキング集計期間）と、利益分配の対象となる順位（例えば、ｐ位；但しｐ＜総コンテンツ数ｎ）又はスコア（例えば、ｑ点）を決定する。この期間のスタート段階から、ランキングのパラメータの集計を開始し、期間終了時点の順位又はスコアが前記決定した順位又はスコア以上であるコンテンツ作者に対して、評価ポイントに応じた利益分配することを宣言する。
【００２６】
一方、視聴者は、サービス運用者から、所望の単位の評価ポイントを購入する。視聴者は、その視聴者端末１０を用いて、動画サービスサイト（コンテンツ評価システム）３０へアクセスし、コンテンツのランキングやコンテンツ一覧を閲覧する。ここで、視聴者は、前記評価ポイントを使って、有料コンテンツを見ても良いし、所望の無料コンテンツを見て面白かったものに対して自分の感覚の適度な量の評価ポイントを投票しても良い。
【００２７】
期間終了時点になると、動画サービスサイト（コンテンツ評価システム）３０は、各コンテンツに対し視聴者から入力された評価ポイントからスコアを算出し、順位付けを行う。
【００２８】
期間終了時点で、図３に示すように評価ポイントが付与されていた場合、例えば、総獲得評価ポイント数のみで、順位付けを行うと、図４のようなランキングが作成可能となる。
【００２９】
このランキングで、前記予め定めた上位ランクのコンテンツ（例えば、ｐ位以上；但しｐ＜総コンテンツ数ｎ）、又は、前記予め定めたスコアを有する上位ランクのコンテンツが選択され、これらに付与された評価ポイントに応じた利益が、コンテンツ作成者に対して分配される。
【００３０】
一方、予め定めた順位（例えば、ｐ位；但しｓ＜総コンテンツ数ｎ）未満のコンテンツ、あるいは、前記予め定めたスコア（例えば、ｑ点）に満たないコンテンツに付与されていたポイントは、サービス運用者が徴収する（没収する）。
【００３１】
以上により、コンテンツ作成者は、サービス運用者に対して自分が獲得した評価ポイント数に応じた利益（即ち、原稿料／コンテンツ作成料）を満額獲得することができる。あるいは、前記評価ポイント数に応じた利益が、評価ポイントの形態で支払われるならば、コンテンツ作成者は、当該金額相当の有料コンテンツを見たり、他のコンテンツ作者が作成した無料コンテンツを視聴し、評価ポイントを入力することもできる。
【００３２】
以上のように本実施形態では、面白いコンテンツを作成したコンテンツ作成者に対して、その評価に見合った利益を還元することができる。その理由は、ランキング上位のコンテンツには、サイト運営費に相当する費用を徴収せず、獲得した総ポイントを分配することとしたためである。
【００３３】
また、本実施形態では、サービス運用者が必要とする収益も確保される。その理由は、ランキング下位のコンテンツが獲得した評価ポイントを分配するように構成したためである。
【００３４】
また、本実施形態では、視聴者に、より質のよいコンテンツを継続的に提供することが可能となる。その理由は、上述のように、優れたコンテンツ作成者への利益分配を行うことと、サービス運用者にもその運営コストを保証したためである。また、コンテンツ作成者が、前記分配された利益を用いて、有料コンテンツの視聴をできるようにすれば、コンテンツ作成者の創作意欲の向上にも大きく寄与するものと考えられる。
【００３５】
［第２の実施形態］
続いて、上記第１の実施形態に変更を加えた本発明の第２の実施形態について詳細に説明する。本実施形態は、視聴者へも利益分配を行う点の変更のみであり、上記第１の実施形態と同様の構成にて実現できるので、以下、その相違点を中心に説明する。
【００３６】
上記第１の実施形態では、上位ランクのコンテンツに対し評価ポイントを入力した視聴者に対する還元は無かった。しかしながら、動画サービスサイト（コンテンツ評価システム）３０の利用者や、コンテンツの視聴回数が増大し、主として評価ポイントの形態で支払われる収入が一定水準を上回ると、サービス運用者は、動画サービスサイト（コンテンツ評価システム）の運営コストを上回るポイント収益を得ることが可能である。
【００３７】
本実施形態は、このような状況を想定し、優れたコンテンツを見出した視聴者に対しポイント還元をし、優良なコンテンツを正当に評価することに対するインセンティヴを与えようとするものである。以下、その一例を説明する。
【００３８】
まず、サービス運用者はある適当な期間（ランキング集計期間）と、利益分配の対象となる順位又はスコアを決定する。
【００３９】
前記期間（ランキング集計期間）の開始直後にコンテンツを視聴した視聴者は、コンテンツのランキングでの情報が見えていないため、最終的に上位になるコンテンツを予想し評価ポイントを入力することは困難である。一方、期間中盤以降にコンテンツを視聴した視聴者は、コンテンツのランキングでの情報が見えているため、より上位ランクのコンテンツに評価ポイントを入力することは容易である。
【００４０】
そこで本実施形態では、各視聴者がコンテンツに対し入力した評価ポイントとともに、評価ポイントの入力時期を記録しておき、ポイントの分配に利用する。
【００４１】
例えば、上記第１の実施形態と同様にして、図４のようなランキングが作成できているものとする。また、その期間におけるサービス運用者の運用コストが評価ポイントで１００ポイント相当であったものとする。
【００４２】
例えば、上記第１の実施形態では、下位ランクのコンテンツＡに付与された１２３ポイント＋α（その他下位コンテンツに付与された評価ポイント）が、サービス運用者に分配されることになる。これに対し、本実施形態では、１２３ポイント＋αから、運用コストとして１００ポイントを差し引いた２３ポイント＋αが、上位ランクのコンテンツに評価ポイントを入力した視聴者に還付される。各視聴者に還付される評価ポイントは、入力した評価ポイントが多く、評価ポイントを入力した時期が早いほど、還付ポイントが多くなるように計算される。例えば、ポイント還付率をα、時間に応じた加算係数をλとすれば、開始時点からの時間ｔに評価ポイントを入力した視聴者に還付されるポイントは、α・入力ポイント＋λｔで算出される。
【００４３】
また例えば、期間開始時点から一定時間Ｔを過ぎると、順位がほぼ決定してしまう場合も多いと考えられる。例えば、評価ポイントを入力した開始時点からの時間ｔが、一定時期Ｔを超える前に投票した視聴者に対して、時間に応じたポイント加算を行う次式［数１］を用いることができる。なお、先の式と同様、［数１］のαはポイント還付率であり、λは時間に応じた加算係数である。
【００４４】
【数１】
2010152489.tif 000003
【００４５】
以上のようにして、早い時期に優れたコンテンツを見い出した視聴者に対して、各人が投票したポイント数と投票期間に応じて評価ポイントの還付を行う。これにより、面白いコンテンツに早く、多いポイントを視聴者が投票することで、視聴者により多くの再配分ポイントが返ってくる可能性が出てくる。すなわち、３者の間で、よりランク上位のコンテンツに関係した者（コンテンツ作者、視聴者）に利益分配することが可能となる。
【００４６】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した第２の実施形態では、評価ポイントを還付するものとして説明したが、例えば、最終的に上位１位〜３位となったコンテンツに、最も早く評価ポイントを入力した視聴者や、上位１位〜３位にそれぞれ最も多く評価ポイントを投票した視聴者には、特典として、入力した評価ポイントを上回る評価ポイントを分配するものとしても良い。
【産業上の利用可能性】
【００４７】
本発明は、インターネット等で、複数のユーザに対して、多数のコンテンツを提供し、ユーザからの評価を受け付ける形態のコンテンツ提供システムに適用できる。例えば、コンテンツとして料理レシピを公開し、各ユーザは料理レシピに対し、評価ポイントを付与するようなコンテンツ提供システムに好適に適用できる。
【図面の簡単な説明】
【００４８】
【図１】本発明の第１の実施形態に係るコンテンツ評価システムの構成を表したブロック図である。
【図２】図１の動画サービスサイト（コンテンツ評価システム）の詳細構成を表したブロック図である。
【図３】図１の動画サービスサイト（コンテンツ評価システム）に記憶されるコンテンツの評価ポイントを説明するための図である。
【図４】本発明によるコンテンツの順位付けと利益分配法の概要を説明するための図である。
【符号の説明】
【００４９】
１０  視聴者端末
２０  コンテンツ作者端末
３０  動画サービスサイト（コンテンツ評価システム）
３１  コンテンツ管理部
３２  ポイント入力受付部
３３  ランキング公開部
３４  コンテンツ記憶部
３５  評価ポイント記憶部
３６  利益分配処理部
【図１】
2010152489.tif 000004
【図２】
2010152489.tif 000005
【図３】
2010152489.tif 000006
【図４】
2010152489.tif 000007